(57)【要約】【課題】  本発明が解決しようとする課題は、用紙などの挿抜時に於いても、滑らかに作業がができると共に、用紙等が破損することなく、自然狭持状態に於いても、最大限の狭持力を維持し、且つ、見出し（インデックス）としても使用できるスペースを備えた用紙等の狭持具を提供することである。【解決手段】  フィルム状またはシート状の補助部材と、前記補助部材を狭持し、間隙部の内側が前記補助部材の外面に接触し、又は狭持力が生じるように形成された略コ字状の狭持部材から成り、前記補助部材は略中央付近で折り曲げた状態に於いて、前記狭持部材を挿通するための、開口状の挿通部を設けると共に、前記開口状の挿通部の一端から折曲状態を形成する端部にかけて、該狭持具に依って、用紙等を狭持又は狭持状態から開放する場合に於いて、前記狭持部材を直接手指で摘むことなく操作し、且つ、見出し（以下インデックスと言う）となる、保持部を形成したことである。【選択図】図１
2014124951.tif 000002
【特許請求の範囲】
【請求項１】
フィルム状又はシート状の基材と、前記基材を挟持する略コ字状の挟持部材から成り、前記基材は略中央付近で折曲した状態に於いて、前記挟時部材を挿通するための開口状の挿通部を形成すると共に、前記挟時部材を直接手指で摘まんで押圧力を加えることなく用紙等の抜き差しを可能にする保持部を前記挟持部材の略背部付近から前記基材の屈曲部にかけて形成したことを特徴とする用紙等の挟持具。
【発明の詳細な説明】
【技術分野】
【０００１】  本発明は、用紙等を挟んで保持し、保管するための挟持具に関する。
【背景技術】
【０００２】  従来、紙などの用紙を保持する所謂クリップは略コ字状に形成してあり、用紙等を挿入して狭持することにより、メモ用紙や書類等を冊子上に保持するものがクリップ等（以下クリップ等と言う）の名称で実用に供されている。【０００３】  しかし、上記従来技術に依れば、何れの場合に於いても、略コ字状のクリップ等の本体、換言すれば略コ字状の角の部分を摘みながら、用紙の挿入作業と用紙の取り外し（以下、抜脱と言う）作業を行っている。
【発明の概要】
【発明が解決しようとする課題】
【０００４】  上記の如く、略コ字状のクリップ等の本体を直接手指で摘みながら挿入、抜脱を行うため、手指で摘む力は、挿入抜脱時の指の滑りを防止するための力が略コ字状の端部付近に位置する狭持部に伝わる。これらの力がクリップ等の本体に対し、押圧力となって働く結果、クリップ等の本体の狭持圧力、換言すれば押圧の力が増大し、用紙等をクリップ等にスムースに挿入し難く、又、抜脱時の狭持力も増大する結果、用紙等の面との摩擦抵抗が増大し、用紙等が破損することもある。【０００５】  このため、換言すればクリップ等の挿抜時のクリップ等と用紙にかかる狭持力（保持力）と、自然狭持状態で用紙にかかる狭持力（保持力）に差が生じ、従って、挿抜時にスムースな操作性を優先した狭持力を実現すると、自然狭持状態に於いて狭持力は弱くなるという問題がある。【０００６】  そこで、本発明が解決しようとする課題は、用紙などの挿抜時に於いても、滑らかに作業がができると共に、用紙等が破損することなく、自然狭持状態に於いても、最大限の狭持力を維持し、且つ、見出し（インデックス）としても試用できるスペースを備えた用紙等の狭持具を提供することである。
【課題を解決する為の手段】
【０００７】  本発明は、フィルム状又はシート状の基材１と、この基材１を挟持する略コ字状（先端付近の内側の面が接触し狭持力が発生する形状）の挟持部材５から成り、基材１は略中央付近で折曲した状態に於いて、狭持部材５を挿通するための開口状の挿通部２Ａを形成すると共に、狭持部材５を直接手指で摘まんで押圧力を加えることなく用紙等の抜き差しが可能で、且つ、見出しともなる保持部３を挟持部材５の背部５Ａ付近から基材１の折曲部３Ａにかけて形成したことである。
【発明の効果】
【０００８】  本発明に依れば、略コ字状の（クリップ状の）狭持部材５の本体を直接手指で摘んで、用紙等の挿抜作業をする必要が無いため、狭持部材５の本体への手指による押圧力は全く生じることは無い。
【０００９】  このため、用紙等の挿抜作業時に保持部３を摘まんで挿抜作業を行うことで、挿抜作業時に用紙などにかかる余分な押圧力が発生しない為、自然狭持状態に於ける保持押圧力と全く同様の圧力、換言すれば、用紙等を保持する最適の押圧力となり、例えば、用紙等の挿入時に於いては、この用紙等を手指で保持し、狭持部材５内に挿入するため、狭持部材５の押圧力と用紙等にかかる摩擦抵抗は必要最小限に作用し、用紙等はスムースに挿入できるから、挿抜時の用紙等の破損等の問題は解消される。
【００１０】  従って、挿抜時に於いても、自然保持状態に於いても等しい狭持力を維持し、且つ、インデックススペースを備え、用紙等を抜き差しする場合も滑らかな操作性が生まれ、用紙等の狭持具として理想的な狭持力を備えた用紙等の狭持具を提供することが出来た。
【図面の簡単な説明】
【００１１】
【図１】  本発明の用紙等の狭持具を示す斜視図である。
【図２】  本発明の用紙等の狭持具の狭持部材を示す斜視図である。
【図３】  本発明の用紙等の狭持具の基材を展開した状態の斜視図である。
【図４】  本発明の用紙等の狭持具の基材を略中央付近から折り曲げた斜視図である。
【図５】  本発明の用紙等の狭持具の保持部を親指と人差し指で摘んだ状態を示す斜視図である。
【図６】  本発明の実施例１の基材を展開した状態を示す斜視図である。
【図７】  本発明の実施例１の基材に設けた舌辺を折り曲げた状態を示す斜視図である。
【図８】  従来のクリップを指で摘んで使用する状態を示す斜視図である。
【発明を実施するための形態】
【００１２】  以下、本発明を実施するための形態を図面に基づいて説明すると、図１は本発明を示す斜視図、図２は狭持部材を示す斜視図、図３は基材を展開した状態を示す斜視図、図４は基材を略中央付近から折り曲げた状態を示す斜視図、図５は保持部３を親指と人差し指で摘んで保持した状態を示す斜視図で、フィルム状またはシート状の基材１（図３）と、この基材１を狭持する略コ字状の狭持部材５（図２）から成り（図１）、この時、基材１は、例えば合成樹脂、又は紙等から成り、願わくば摩擦係数の低いフィルム状、またはシート状で、保持部３を手指で摘まんで用紙等を装入部４を介して挿入する場合、折れ曲がったり、又は不安定な形状にならない程度の硬さであって、且つ、ある程度の柔軟性を有することが望ましい。
【００１３】  更に、基材１の適宜位置に開口部２を設けると良く、此処に言う適宜位置とは、例えば基材１を略中央付近で折曲部３Ａから折り曲げた状態に於いて（図３）、開口部２が共に重なり合って挿通部２Ａを形成するように設けると良く、且つ、略コ字状（図２）の狭持部材５を一方の端部６から挿通部２Ａを介して挿通する際、挿通に適した大きさと形状であることが望ましく、更には、挿通した狭持部材５が挿通部２Ａから脱落したり、容易に移動し難い大きさと形状であることが望ましく、基材１と図面に示した表現を説明すると、図１、図４、図５に於ける基材１は、上記に述べた如くフィルム状またはシート状の素材を用いて形成してある為、側面の表現を一本の実線で表現した。
このため、折曲部３Ａを介して対向する面は、夫々が接触状態、又は密着状態で形成されるが、基材１の形状を判りやすく表現する為に若干の隙間を持たせた状態に表現してあるが、実際はこの限りではない。
【００１４】  又、狭持部材５（図２）は可塑性を有する素材であることが望ましく、基材１は長手方向の略中央付近で折り曲げて折曲部３Ａを形成（図４）し、狭持部材５を挿通するための挿通部２Ａを構成し、この挿通部２Ａに狭持部材５を差し込んだ状態に於いて、挿通部２Ａの一端から折曲部３Ａに到る範囲を、手指で摘み保持するための保持部３として形成してある。
【００１５】  保持部３は、狭持部材５に依って、用紙等Ｙ（これ等の図面では図示していない、図８を参照、以下同様）を挿入狭持する際、又は、用紙等Ｙを引き抜いて狭持状態から開放する場合に於いて、狭持部材５の曲部７付近を親指Ｅと人差し指Ｆ等の手指で直接摘む（図８参照）必要をなくし、挿抜時に狭持部８に外側から押圧力Ｐ、Ｐ（図８は従来の参考図）を加える事が無いように構成してある。
【００１６】  この時、基材１の端部Ｂ、端部Ｃ、挿入部４は、狭持部材５の端部６より長く構成しても良く、狭持しようとする用紙等を狭持部材５に誘導し易い長さと形状であることが望ましい。
【００１７】  更に、保持部３は狭持部材５の背部５Ａより突出した状態に形成し、手指等で摘んで保持する保持部３の機能と共に、狭持部材５によって保持された用紙等を識別するためのインデックスのスペースとして使用充分な大きさと形状であることが望ましく、このインデックスのスペースの形状は、図示しないが、動物や花、風景、キャラクター等を模した形状とすることも可能であることは言うまでも無く、更には、このスペースの面に宣伝用のロゴやキャラクタ、又はキャッチフレーズ等を設けることもできる。
【００１８】  又、保持部３を用いてインデックス（見出し）を形成するに当たっては、図示しないが、保持部３の表面に直接筆記具等に依って書き込むことも可能であり、又、片面に糊や粘着剤等を塗布した紙片を保持部３の表面に貼着し、其の紙片の面に筆記具等を用いて書き込むことも可能であり、又、ラベル等をプリンター等（商品名、テプラー）に依って印字して貼着することも可能であり、又、折曲部３Ａを介して形成された保持部３の隙間に紙片又は樹脂フィルム片に必要事項を記載後挿入することも可能であり、又、筆記具等を用いて記載し易くするために、上書き可能なインク又は塗料等を用いて保持部３の表面をコーティング（覆う）することも可能であり、更に、ＩＣタグ等を設けることも可能であることは言うまでも無い。
【００１９】  以上のように構成された本発明の用紙等の挟持具を使用するには、片手に狭持しようとする用紙等を持ち、他方の手指にて保持部３を摘み（図５）、端部Ｂと端部Ｃで前記用紙等を挟むように添えて、挿入すると用紙等は挿入部４に誘導されて狭着部８に達する。
【００２０】  更に、用紙等を深く挿入し、背部５Ａに到達させることで、用紙等は完全に狭持された状態となり、本発明の用紙等の挟持具によって安定的に保持される。
又、用紙を引き抜く際は、用紙を一方の手指で持ち、他方の手指で保持部３を保持して引き抜けばよいから、用紙等の挿入作業に於いても、引き抜き作業に於いても狭持部材５及び曲部７を手指で摘まんだり或いは保持したりする必要が無くなる。
【００２１】  このため、従来のように略コ字状のクリップ等の本体を直接手指で摘みながら挿入、抜脱を行う必要（図８）は無く、手指で摘む力や、挿入抜脱時の指の滑りを防止するための力が略コ字状の端部付近に位置する狭持部に伝わることもなく、これらの力がクリップ等の本体に対し、押圧力となって働く事も無いから、本発明の用紙等の挟持具の狭持圧力、換言すれば押圧の力が増大することも無く、用紙等をスムースに挿入でき、又、抜脱時の狭持力も増大することもなく、用紙等の面との摩擦抵抗も増大することはないため、用紙等の破損を招く等の問題は完全に解消された。
【００２２】  換言すれば、挿抜時に本発明の用紙等の挟持具によって狭持される用紙かかる狭持力（保持力）と、自然狭持状態で用紙にかかる狭持力（保持力）に差が生じ、従って、挿抜時にスムースな操作性を優先した狭持力を実現すると、自然保持状態での要素等の狭持力は弱くなるという問題は完全に解消された。
【００２３】  又、自然狭持状態に於いても、用紙などの挿抜時に於ける狭持力と、自然保持状態に於ける用紙等の狭持力を等しく維持することで、本発明が解決しようとする課題の一つである、自然保持状態に於いても、用紙などの挿抜時に於いても、滑らかな作業を実現し、且つ、保持部３を見出し（インデックス）のスペースとして利用可能とした。
【００２４】  従って、例えば、一枚又は複数枚からなる書類等を綴じたり、又は、封筒に資料や書類を挿入した後に本発明の用紙等の挟持具で封筒の口部を狭持したり、又は、書類等を挿入したクリアファイルの開放部を狭持したり、又はポリ袋等にサンプルや資料を入れた後、口部を折り返して狭持することも可能で、見出し（インデックス）のスペースを備えることで、保管場所、例えば鞄、又は引き出し、又は、資料の保管庫等から容易に選択し取り出すことが可能な用紙等の狭持具を提供することができる。
【実施例】
【００２５】  以下、本発明の実施例１を図面に基づいて説明すると、図６は本発明の実施例１の基材を展開した状態を示す斜視図で、この場合、発明を実施するための形態の項目に記載した基材１に替えた、本実施例の基材１を使用すると良く、図７は本実施例の基材１の側端に設けた舌辺Ｇ、Ｇを折り曲げた状態を示す斜視図で、可塑性を有するフィルム状、またはシート状の基材１は、例えば合成樹脂などであって、透明、又は若干の透明性を有しても良く、基材１の対向する辺の適宜な位置を折り曲げて折曲部３Ａを形成する。【００２６】  この場合、商品として市場に展開するに当たり、製造コスト低減や、一般ユーザーが物作りに参画する喜びを提供する目的等を考慮して、手指で折り曲げる位置の目安となり、折り曲げ部を直線状に容易に形成可能とするための切り欠き部Ｈ、Ｈを設ける事もできるが、これは発明を実施するための形態に記載の発明にも適用可能であり、特に設けなくとも良いことは言うまでも無い。【００２７】  更に、切り欠き部Ｈ、Ｈを設けた場合、切り欠き部Ｈ、Ｈから曲折した状態に於いて挿通部２Ａを形成するための開口部２、２を設けると良く、この開口部２、２は、折曲部３から折り曲げた状態に於いて、狭持部材５の一方の端部６を開口部２、２からなる挿通部２Ａを介して挿通するに際し、挿通に適した大きさと形状で、更には、挿通した狭持部材５が挿通部２Ａから脱落したり、容易に移動し難い大きさであることが望ましい。【００２８】  又、挿通部２Ａに狭持部材５を挿通した場合に於いて、挿通部２Ａの一端、つまり狭持部５から折曲部３Ａにかけて、本発明の用紙等の狭持具を手指で摘んで保持するための保持部３を形成してあり、保持部３は手指であれば何れの指であっても可能であるが、例えば、親指と人差し指で摘んで保持し（図５を参照）、用紙の挿抜が容易な大きさと形状であることが望ましく、又、インデックスとしてのスペース、又は、広告用のロゴやキャラクタ等を表示するに充分な大きさで有っても良く、基材１の硬さは挿抜作業に支障の生ずる恐れが無く、発明を実施するための形態に記載の発明と同様に機能することはいうまでも無い。【００２９】  更に、基材１の側端に舌辺Ｇ、Ｇをそれぞれ設け、この舌辺Ｇ、Ｇは折曲部３Ａによって基材１を折り曲げた状態に於いて、舌辺Ｇ、Ｇが基材１の内側面に位置する方向に、折り曲げる（図７）ことが望ましく、舌辺Ｇの長さと幅の関係を述べれば、基材１に折曲部３Ａを介して保持部３を形成した場合に於いて、内側に折りこまれた舌辺Ｇが保持部３の内側から脱出し難い長さであることが好ましく、幅に於いては、保持部３の対向する面の内側に挿入した表示片（図示しない）が脱落しない大きさであることが望ましい。【００３０】  従って、実施例１の作用、及び効果を述べれば、基材１に設けた舌辺Ｇ、Ｇを折り曲げ（図７）た後、切り欠き部Ｈ、Ｈの頂点を結ぶ線上（図面上では頂点を結ぶ線は表示しない）から折り曲げて折曲部３Ａを形成した後、複数の開口部２、２によって形成される挿通部２Ａを介して狭持部材５を挿入するが、この時、挿通部２Ａの一端から折曲部３Ａにかけての形成された保持部３は狭持部材５の背部５Ａと折曲部３Ａと折り返した舌辺Ｇによって簡易な袋状が構成される。【００３１】  この袋状をを構成するに当たって、挿通部２Ａから狭持部材５を挿通した後、舌片Ｇを内側に折り返して、保持部３の隙間に挿入して袋状を形成しても良く、更にインデックス用の紙片をこの袋状に挿入後、更にもう一方の舌片Ｇを保持部３の隙間に折り込んでインデックス用の紙片を封入することも可能であり、封入作業の逆の順序で行えば、インデックス用の紙片を交換することも可能であり、従って何度でも再使用が可能となる。【００３２】  前記の袋状に、書類その他、狭持物の見出しとして使用するインデックス用の紙片等（図示しない）を挿入することも出来るもので、インデックスの交換が容易に行える利点があり、一度挿入したインデックス用の紙片は、舌辺Ｇが直立しようとする力が働き、舌辺Ｇに係止されるため、故意に抜き取らない限り脱落による紛失は無い。【００３３】又、基材１が透明な合成樹脂又は、若干の透明性を有する合成樹脂を用いることにより、インデックス表面は基材１によって常にカバーされているため、汚れ等の付着も防止できる他、用紙等の挟持具としての作用及び効果に於いては、発明を実施するための形態に記載した発明と同様で有ることは言うまでも無い。【００３４】  更に、インデックス用の紙片等にエッセンシャルオイル又はその他の芳香剤などを塗布又は吸収させて使用し、又は芳香性のインキ等を用いて印刷を施す等、リラクゼーション効果を有する芳香を加味することで、リラクゼーション効果等を加味することも可能であり、更には、基材１に芳香を練りこみ、又は、塗布することも可能であることは言うまでも無い。
【符号の説明】
【００３５】１  基材
２  開口部
２Ａ  挿通部
３  保持部
３Ａ  折曲部
４  挿入部
５  狭持部材
５Ａ  背部
６  端部
７  曲部
８  狭着部
Ｂ  端部
Ｃ  端部
Ｅ  親指
Ｆ  人差し指
Ｐ  押圧力のかかる方向
Ｈ  切り欠き部
Ｇ  舌辺
Ｙ  用紙
Ｄ  クリップ
【図１】
2014124951.tif 000003
【図２】
2014124951.tif 000004
【図３】
2014124951.tif 000005
【図４】
2014124951.tif 000006
【図５】
2014124951.tif 000007
【図６】
2014124951.tif 000008
【図７】
2014124951.tif 000009
【図８】
2014124951.tif 000010